(57)【要約】【課題】ＤＶストリームデータを再生するときに録画日時を映像に同期して表示させることができるデジタル記録再生装置を提供する。【解決手段】デジタル記録再生装置は、入力ＤＶストリームから録画日時情報を取得するＤＶコーデック部と、ＤＶストリームの不連続点を検出する情報処理部と、ＤＶストリームを変換するＭＰＥＧコーデック部と、これから出力されたデータを記録媒体に記録すると共に、不連続点を検出する毎にパックヘッダから取得された録画日時情報をチャプターデータ８６として記録媒体に記録する記録部と、データの再生時に、不連続点の録画日時情報ｔ０とタイムコードΔｔとから、実際の録画日時１０４を算出するマイコンと、算出された録画日時の表示データを生成するＯＳＤ部と、録画日時表示信号と再生されたデータとを合成して出力する表示処理部を有する。【選択図】図１０
2007281641.tif 000002
【特許請求の範囲】
【請求項１】
入力されたデジタルビデオストリームを構成する各パックのパックヘッダに含まれ、前記デジタルビデオストリームが録画された時間を示す録画日時情報を取得する情報取得手段と、
前記録画日時情報に基づいて、前記デジタルビデオストリームにおいて録画日時が連続しない不連続点を検出する不連続点検出手段と、
前記デジタルビデオストリームを記録媒体に適合した形式のデータに変換する変換手段と、
前記変換手段から出力されたデータを記録媒体に記録すると共に、前記不連続点を検出する毎に前記パックヘッダから取得された前記録画日時情報をチャプターデータとして記録媒体に記録する記録手段と、
前記記録媒体に記録されたデータの再生時に、前記不連続点の録画日時情報と前記記録されたデータのタイムコードとから、実際の録画日時を算出する録画日時算出手段と、
前記算出された録画日時を表示させる録画日時表示信号を生成する表示情報生成手段と、
前記録画日時表示信号と前記再生されたデータとを合成して出力する表示処理手段と
を有することを特徴とするデジタル記録再生装置。
【請求項２】
ユーザによる指令に基づいて、前記録画日時表示信号に基づく表示をさせるか否かの制御を行う制御手段を有することを特徴とする請求項１に記載のデジタル記録再生装置。
【請求項３】
前記再生されたデータに同期して、前記デジタルビデオストリームの録画日時の表示を更新させることを特徴とする請求項１又は２のいずれかに記載のデジタル記録再生装置。
【請求項４】
入力されたデジタルビデオストリームを構成する各パックのパックヘッダに含まれ、前記デジタルビデオストリームが録画された時間を示す録画日時情報を取得する情報取得手段と、
前記録画日時情報に基づいて、前記デジタルビデオストリームにおいて録画日時が連続しない不連続点を検出する不連続点検出手段と、
前記デジタルビデオストリームを記録媒体に適合した形式のデータに変換する変換手段と、
前記変換手段から出力されたデータを記録媒体に記録すると共に、前記不連続点を検出する毎に前記パックヘッダから取得された前記録画日時情報をチャプターデータとして記録媒体に記録する記録手段と
を有することを特徴とする記録装置。
【請求項５】
デジタルビデオストリームから変換されたデータと、デジタルビデオストリームにおいて録画日時が連続しない不連続点を検出する毎にデジタルビデオストリームを構成する各パックのパックヘッダから取得された録画日時情報であるチャプターデータとを記録する記録媒体から、データを再生する時に、前記不連続点の録画日時情報と前記記録されたデータのタイムコードとから、実際の録画日時を算出する録画日時算出手段と、
前記算出された録画日時を表示させる録画日時表示信号を生成する表示情報生成手段と、
前記録画日時表示信号と前記再生されたデータとを合成して出力する表示処理手段と
を有することを特徴とする再生装置。
【請求項６】
入力されたデジタルビデオストリームを構成する各パックのパックヘッダに含まれ、前記デジタルビデオストリームが録画された時間を示す録画日時情報を取得し、
前記録画日時情報に基づいて、前記デジタルビデオストリームにおいて録画日時が連続しない不連続点を検出し、
前記デジタルビデオストリームを記録媒体に適合した形式のデータに変換し、
前記変換されたデータを記録媒体に記録すると共に、前記不連続点を検出する毎に前記パックヘッダから取得された前記録画日時情報をチャプターデータとして記録媒体に記録し、
前記記録媒体に記録されたデータの再生時に、前記不連続点の録画日時情報と前記記録されたデータのタイムコードとから、実際の録画日時を算出し、
前記算出された録画日時を表示させる録画日時表示信号を生成し、
前記録画日時表示信号と前記再生されたデータとを合成して出力する
ことを特徴とするデジタル記録再生方法。
【請求項７】
ユーザによる指令に基づいて、前記録画日時表示信号に基づく表示をさせるか否かの制御を行うことを特徴とする請求項６に記載のデジタル記録再生方法。
【請求項８】
前記再生されたデータに同期して、前記デジタルビデオストリームの録画日時の表示を更新させることを特徴とする請求項６又は７のいずれかに記載のデジタル記録再生方法。
【請求項９】
入力されたデジタルビデオストリームを構成する各パックのパックヘッダに含まれ、前記デジタルビデオストリームが録画された時間を示す録画日時情報を取得し、
前記録画日時情報に基づいて、前記デジタルビデオストリームにおいて録画日時が連続しない不連続点を検出し、
前記デジタルビデオストリームを記録媒体に適合した形式のデータに変換し、
前記変換されたデータを記録媒体に記録すると共に、前記不連続点を検出する毎に前記パックヘッダから取得された前記録画日時情報をチャプターデータとして記録媒体に記録する
ことを特徴とする記録方法。
【請求項１０】
デジタルビデオストリームから変換されたデータと、デジタルビデオストリームにおいて録画日時が連続しない不連続点を検出する毎にデジタルビデオストリームを構成する各パックのパックヘッダから取得された録画日時情報であるチャプターデータとを記録する記録媒体から、データを再生する時に、前記不連続点の録画日時情報と前記記録されたデータのタイムコードとから、実際の録画日時を算出し、
前記算出された録画日時を表示させる録画日時表示信号を生成し、
前記録画日時表示信号と前記再生されたデータとを合成して出力する
ことを特徴とする再生方法。
【発明の詳細な説明】
【技術分野】
【０００１】
本発明は、デジタルビデオ（ＤＶ）方式の映像機器（以下「ＤＶ機器」と言う。）から出力されたＤＶストリームを取り込んで記録媒体に記録し、記録されたデータを再生することができるデジタル記録再生装置、並びに、記録装置、再生装置、デジタル記録再生方法、記録方法、及び再生方法に関するものである。
【背景技術】
【０００２】
近年、映像音声データをＤＶテープに記録するＤＶ機器、例えば、ビデオカメラとＶＴＲとを一体化させたＤＶカム（デジタルビデオカムコーダ）が普及している。ＤＶテープに記録されたデータは、デジタル記録再生装置によって取り込まれ（すなわち、キャプチャーされ、又は、ダビングされ）、デジタル記録可能な記録媒体、例えば、ＤＶＤ（デジタル多用途ディスク）やＨＤＤ（ハードディスクドライブ）に保存される。
【０００３】
一般に、ＤＶテープに記録された映像信号は、ＭＰＥＧエンコードされたものではなく、ＤＶ方式でデータ圧縮されたＤＶ信号である。ここで、ＤＶ方式は、「ＨＤデジタルＶＣＲ協議会」が定めた標準規格である。
【０００４】
一方、デジタル記録再生装置が、制御信号と情報信号とを混在させて伝送する双方向通信可能な通信制御バスであるＩＥＥＥ１３９４シリアルバス（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４  Ｈｉｇｈ  Ｐｅｒｆｏｒｍａｎｃｅ  Ｓｅｒｉａｌ  Ｂｕｓ）を介して、ＤＶ機器からのデジタルデータの記録を行う場合、ＤＶフォーマット方式の映像圧縮データを取り扱うことが標準となっている。
【０００５】
ＤＶフォーマットは、規格の１つとして存在する補助データであるＰＡＣＫ  ＨＥＡＤＥＲ（パックヘッダ）を有している。ＤＶカムは、映像の記録を行うときに、録画日時をパックヘッダ内の録画日時のデータ領域に保存する。また、デジタル記録再生装置は、ＤＶストリームをデコードするときに、映像データとＰＡＣＫ  ＨＥＡＤＥＲを取得することが可能である。
【０００６】
特許文献１に記載の映像記録装置は、ＤＶダビング時にダビング画面にＤＶの映像、操作画面、及びＤＶカムの走行状態を表示する。ＤＶストリームをデコードした映像は専用の表示領域に表示され、その周辺にＤＶカムに、動作を指示する操作ボタン、ＤＶカムの走行状態、及びＤＶカムのタイムカウンタなどが表示される。このタイムカウンタは、ＤＶカムのＤＶテープ自体のＴＩＭＥ  ＣＯＤＥ（タイムコード）を示しており、ＤＶカムのＴＩＭＥ  ＣＯＤＥに同期して変化する。
【０００７】
【特許文献１】特開２００５−３１８１８６号公報
【発明の開示】
【発明が解決しようとする課題】
【０００８】
しかし、特許文献１に記載の映像記録装置においては、表示されるタイムカウンタはＤＶテープ自体のＴＩＭＥ  ＣＯＤＥであり、実際の撮影日時（すなわち、ＤＶテープに撮影データが記録された録画日時）を映像と同期して表示できないという問題があった。これは、従来の映像記録装置においては、ＤＶ機器から受信したＤＶストリームをＤＶダビング時に映像と同期して連続的に保存する方法がなく、同期のとれた録画日時を表示することができないからである。
【０００９】
そこで、本発明は、上記従来技術の課題を解決するためになされたものであり、その目的は、ＤＶ機器から取り込まれたＤＶストリームに基づく映像を表示装置に表示するときに、録画日時を映像に同期して表示させることができるデジタル記録再生装置、並びに、記録装置、再生装置、デジタル記録再生方法、記録方法、及び再生方法を提供することである。
【課題を解決するための手段】
【００１０】
本発明のデジタル記録再生装置は、入力されたデジタルビデオストリームを構成する各パックのパックヘッダに含まれ、前記デジタルビデオストリームが録画された時間を示す録画日時情報を取得する情報取得手段と、前記録画日時情報に基づいて、前記デジタルビデオストリームにおいて録画日時が連続しない不連続点を検出する不連続点検出手段と、前記デジタルビデオストリームを記録媒体に適合した形式のデータに変換する変換手段と、前記変換手段から出力されたデータを記録媒体に記録すると共に、前記不連続点を検出する毎に前記パックヘッダから取得された前記録画日時情報をチャプターデータとして記録媒体に記録する記録手段と、前記記録媒体に記録されたデータの再生時に、前記不連続点の録画日時情報と前記記録されたデータのタイムコードとから、実際の録画日時を算出する録画日時算出手段と、前記算出された録画日時を表示させる録画日時表示信号を生成する表示情報生成手段と、前記録画日時表示信号と前記再生されたデータとを合成して出力する表示処理手段とを有することを特徴としている。
【００１１】
また、本発明の記録装置は、入力されたデジタルビデオストリームを構成する各パックのパックヘッダに含まれ、前記デジタルビデオストリームが録画された時間を示す録画日時情報を取得する情報取得手段と、前記録画日時情報に基づいて、前記デジタルビデオストリームにおいて録画日時が連続しない不連続点を検出する不連続点検出手段と、
前記デジタルビデオストリームを記録媒体に適合した形式のデータに変換する変換手段と、前記変換手段から出力されたデータを記録媒体に記録すると共に、前記不連続点を検出する毎に前記パックヘッダから取得された前記録画日時情報をチャプターデータとして記録媒体に記録する記録手段とを有することを特徴としている。
【００１２】
さらに、本発明の再生装置は、デジタルビデオストリームから変換されたデータと、デジタルビデオストリームにおいて録画日時が連続しない不連続点を検出する毎にデジタルビデオストリームを構成する各パックのパックヘッダから取得された録画日時情報であるチャプターデータとを記録する記録媒体から、データを再生する時に、前記不連続点の録画日時情報と前記記録されたデータのタイムコードとから、実際の録画日時を算出する録画日時算出手段と、前記算出された録画日時を表示させる録画日時表示信号を生成する表示情報生成手段と、前記録画日時表示信号と前記再生されたデータとを合成して出力する表示処理手段とを有することを特徴としている。
【発明の効果】
【００１３】
本発明によれば、入力されたデジタルビデオストリームの不連続点を検出する毎に、パックヘッダから取得された録画日時情報をチャプターデータとして記録媒体に記録するので、記録媒体に記録されたデータの再生時に、不連続点の録画日時情報と記録されたデータのタイムコードとから、実際の録画日時を算出することができ、再生時に録画日時を表示させることができるという効果を得ることができる。
【発明を実施するための最良の形態】
【００１４】
実施の形態１．
図１は、本発明の実施の形態１に係るデジタル記録再生装置１２を含むＤＶストリームキャプチャーシステムの構成を概略的に示すブロック図である。図１に示されるように、ＤＶストリームキャプチャーシステムは、ＩＥＥＥ１３９４規格に準拠したシリアルバス（１３９４シリアルバス）による通信機能を有するデジタル映像機器（１３９４対応機器）１２，１３を、１３９４シリアルバス（１３９４ケーブル）１４で接続することによって構成されている。ここで、１３９４対応機器１２は、例えば、ランダムアクセス可能なデジタル記録再生装置であり、１３９４対応機器１３は、例えば、ＤＶカム（デジタルビデオカムコーダ）である。また、デジタル記録再生装置１２にケーブル１５を介してモニタテレビジョン（モニタＴＶ）１１を接続しておくことで、１３９４シリアルバス１４を介して、ＤＶカム１３のＤＶテープ操作キーの表示、及び、そのキーによるデジタル記録再生装置１２の動作状態の表示をモニタＴＶ１１の表示画面３１にすることができる。なお、モニタＴＶ１１は、デジタル記録再生装置１２に接続する場合には、ＩＥＥＥ１３９４規格に非対応な機器とすることもできる。また、１３９４シリアルバス１４は、１３９４対応機器１３を、スター状又はツリー状に接続する。また、１つのバスには、最大で６３台の１３９４対応機器が接続できる。
【００１５】
図２は、図１のデジタル記録再生装置１２の構成を概略的に示すブロック図である。図２には、デジタル記録再生装置１２とＤＶカム１３とが、制御信号と情報信号とを混在させて伝送できる通信制御バスである１３９４シリアルバス１４を介して接続されている例が示されている。
【００１６】
図２に示されるように、デジタル記録再生装置１２は、ＩＥＥＥ１３９４規格に準拠するインターフェース（１３９４Ｉ／Ｆ）２０と、１３９４Ｉ／Ｆ２０経由でＤＶストリームを受け取り、デコードを行うＤＶコーデック（ＤＶ  Ｃｏｄｅｃ）部２１と、デジタル記録再生装置１２全体を制御するためのマイコン（マイクロコンピュータ）２４と、デジタル記録再生装置１２の各種情報を解析、通知する情報処理部２５と、ＤＶストリームを保管するためのデジタル変換処理を行うＭＰＥＧコーデック部２６と、ＤＶストリームを記録媒体２７ａに記録する記録部２７と、画像を表示するためのエンコーダ機能を有する表示処理部２３と、グラフィックを表示させる機能を有するＯＳＤ（オン・スクリーン・ディスプレイ）部２２とを有している。記録部２７は、ハードディスクを記録媒体２７ａとする記録媒体内蔵型の場合と、記録媒体２７ａがＤＶＤなどの着脱可能な場合とがある。ＤＶ映像機器１３内のＤＶテープに記録されている情報信号をデジタル記録再生装置１２のランダムアクセス可能な記録媒体２７ａに記録する手段は、ＭＰＥＧコーデック部２６と記録部２７とにより構成されている。記録方式の設定情報、情報信号の記録開始・記録停止情報は、マイコン２４からの制御信号に基づいて、ランダムアクセス可能な記録媒体２７ａに記録される。なお、図１２には、記録及び再生の両動作を実行するデジタル記録再生装置が示されているが、記録動作を実行する記録装置及び再生動作を実行する再生装置を別の回路又は装置とすることもできる。
【００１７】
ＤＶコーデック部２１は、入力されたＤＶストリームを構成する各パックに含まれ、ＤＶストリームが録画された時間を示す録画日時情報を取得する情報取得手段として機能する。マイコン２４は、録画日時情報に基づいて、ＤＶビデオストリームにおいて録画日時が連続しない不連続点を検出する不連続点検出手段として機能する。ＭＰＥＧコーデック部２６は、ＤＶストリームを記録媒体に適合した形式のデータに変換する変換手段として機能する。記録部２７は、ＭＰＥＧコーデック部２６から出力されたデータを記録媒体２７ａに記録すると共に、不連続点を検出する毎にパックヘッダから取得された録画日時情報をチャプターデータとして記録媒体２７ａに記録する記録手段として機能する。マイコン２４は、記録媒体２７ａに記録されたデータの再生時に、不連続点の録画日時情報と記録されたデータのＴＩＭＥ  ＣＯＤＥとから、実際の録画日時を算出する録画日時算出手段として機能する。ＯＳＤ部２２は、算出された録画日時を表示させる録画日時表示信号を生成する表示情報生成手段として機能する。表示処理部２３は、録画日時表示信号と再生されたデータとを合成して出力する表示処理手段として機能する。
【００１８】
以下に、デジタル記録再生装置１２が、選択された１台のＤＶ機器（ターゲットＤＶ機器）１３からの、ＤＶストリームのキャプチャーを行う動作について説明する。
【００１９】
先ず、ターゲットＤＶ機器から１３９４シリアルバス１４を通してデジタル記録再生装置１２にＤＶ映像データ（ＤＶストリーム）が入力される。入力されたＤＶ映像データは、１３９４Ｉ／Ｆ２０を介してＤＶコーデック部２１に入力される。ＤＶコーデック部２１は、入力されたＤＶストリームをＲＥＣ６５６形式に変換してＭＰＥＧコーデック部２６へ送る。ＭＰＥＧコーデック部２６は、ＤＶストリームを記録部２７に適合したフォーマットへ変換処理し、変換後のデータを記録部２７に送る。記録部２７は、データを記録媒体２７ａに記録する。
【００２０】
記録部２７で読み出されたデータは、ＭＰＥＧコーデック部２６内において、所望のフォーマットにデコードされ、マイコン２４からの制御信号に応じて動作する表示処理部２３によって映像信号に変換され、インターフェース（Ｉ／Ｆ）２８からモニタＴＶ（図１の符号１１）に出力され、モニタＴＶの画面に表示される。なお、図２には示されていないが、ＭＰＥＧコーデック部２６から出力された音声信号は、音声出力回路（図示しない）から出力され、インターフェース（Ｉ／Ｆ）２８からスピーカ（図示せず）に出力される。
【００２１】
図３は、図１のモニタＴＶ１１に表示される録画日時表示画面３１である。図３の録画日時表示画面３１には、図２の表示処理部２３で生成された映像信号にＯＳＤ部２２で生成されたＯＳＤ画面をオーバーレイした映像信号をモニタＴＶ１１に出力する。
【００２２】
録画日時表示画面に表示される録画日時の情報は、ＤＶカム１３からのＤＶストリーム内のＰＡＣＫ  ＨＥＡＤＥＲ（パックヘッダ）内にＲＥＣ  ＤＡＴＥ（録画年月日）及びＲＥＣ  ＴＩＭＥ（録画時分秒）という形（ＲＥＣ  ＤＡＴＥ及びＲＥＣ  ＴＩＭＥを合わせて「録画日時情報」とも言う。）で記録されており、図２のＤＶコーデック部２１のデコード時に取得することができる。図４は、ＤＶコーデック部２１のデコード時に取得できるＰＡＣＫ  ＨＥＡＤＥＲ情報の一覧を示したＰＡＣＫ  ＨＥＡＤＥＲ  ＴＡＢＬＥ（パックヘッダテーブル）である。
【００２３】
図４において、ＵＰＰＥＲ（上位の桁）で示される横に並ぶ枠は、左から順に１６進数の“０”〜“Ｆ”（図４には２進数で表記されている）に対応する。また、図４において、ＬＯＷＥＲ（下位の桁）で示される縦に並ぶ枠は、上から順に１６進数の“０”〜“Ｆ”（図４には２進数で表記されている）に対応する。図４において、ＲＥＣ  ＤＡＴＥ４１はＤＶストリーム内に書かれたビデオ記録時の録画日付の情報が書かれた位置であり、ＰＡＣＫ  ＨＥＡＤＥＲにおける識別アドレスは１６進数表記で“０ｘ６２”である。図４において、ＲＥＣ  ＴＩＭＥ４２は、ＤＶストリーム内に書かれたビデオ記録時の録画時刻の情報が書かれた位置であり、ＰＡＣＫ  ＨＥＡＤＥＲの識別アドレスは１６進数表記で“０ｘ６３”である。なお、“０ｘαβ”という表記法は、α及びβが１６進数表記であることを意味する。
【００２４】
図５は、ＲＥＣ  ＤＡＴＥ４１の詳細なデータ配列を示す図である。ＲＥＣ  ＤＡＴＥ４１は、ＢＣＤ（２進化１０進数）形式で格納されている。図５に示されるように、識別アドレス“０ｘ６２”（すなわち、最初の１バイトのデータ５０）に続く１バイトのデータ（すなわち、２列目の１バイトのデータ５１）の次に位置する１バイトのデータ（すなわち、３列目の１バイトのデータ５２）に、録画日が格納される。続く１バイトのデータ（すなわち、４列目の１バイトのデータ５３）に、録画月が格納され、その続きの１バイトのデータ（すなわち、５列目の１バイトのデータ５４）に録画年（西暦）の下２桁が格納される。例えば、ＲＥＣ  ＤＡＴＥ４１が「２００１年０５月２１日」である場合は、図５におけるデータ５０〜５４のそれぞれは、“０ｘ６２”、“０ｘ？？”、“０ｘ２１”、“０ｘ０５”、“０ｘ０１”となる。なお、“０ｘ？？”は不定値である。また、ＲＥＣ  ＤＡＴＥ４１が１９００年代である場合も同様に、録画年は西暦の下２桁となる。ＤＶ規格が策定されたのが１９９４年であるので、録画年を示すデータ５４は“０ｘ９４”〜“０ｘ９９”になる。
【００２５】
図６は、ＲＥＣ  ＴＩＭＥ４２の詳細なデータ配列を示す図である。ＲＥＣ  ＴＩＭＥ４２は、ＢＣＤ形式で格納されている。図６に示されるように、識別アドレス“０ｘ６３”（すなわち、最初の１バイトのデータ６０）に続く１バイトのデータ（すなわち、２列目の１バイトのデータ６１）に、録画フレーム（フレームは１秒を３０分割した単位）の値が格納され、その続きの１バイトのデータ（すなわち、３列目の１バイトのデータ６２）に録画の秒の値が格納される。続く１バイトのデータ（すなわち、４列目の１バイトのデータ６３）に録画の分の位の値が格納され、その続きの１バイトのデータ（すなわち、５列目の１バイトのデータ６４）に録画日時の時間の位の値が格納される。例えば、ＲＥＣ  ＴＩＭＥ４２が「１４時２１分０５秒１３フレーム」である場合は、図６におけるデータ６０〜６４のそれぞれは、例えば、“０ｘ６３”、“０ｘＦＦ”、“０ｘ０５”、“０ｘ２１”、“０ｘ１４”となる。現在、フレームの位の値を正しく保存しているＤＶカムは製造されていないので、データ６１は“０ｘＦＦ”という値を入れておき、フレーム数を示すデータを無視する。ただし、フレームの位の値を正しく保存しているＤＶカムが製造された場合には、“０ｘＦＦ”に代えて、フレームの位の値に実際のフレーム値を入力する。
【００２６】
図７は、ＰＡＣＫ  ＨＥＡＤＥＲ内のＶＡＵＸ（Ｖｉｄｅｏ  Ａｕｘｉｌｉａｒｙ  Ｉｎｆｏｒｍａｔｉｏｎ）のＲＥＣ  ＤＡＴＥ４１とＲＥＣ  ＴＩＭＥ４２から年、月、日、時、分、秒を抽出する処理を示す図である。ここで、データは、すべてＢＣＤ形式で取り出し、ＢＣＤ形式で１バイトの値として保存する。「年」は、ＲＥＣ  ＤＡＴＥ４１の値から取り出した１０の位が「ＴＥＮＳ  ｏｆ  ＹＥＡＲ」、１の位が「ＵＮＩＴ  ｏｆ  ＹＥＡＲ」であり、１バイトのデータ５４の上位４ビットに「ＴＥＮＳ  ｏｆ  ＹＥＡＲ」、下位４ビットに「ＵＮＩＴＳ  ｏｆ  ＹＥＡＲ」を格納して、それを年の値とする（ステップＳ７１）。「月」については、ＲＥＣ  ＤＡＴＥ４１の値から取り出した「ＵＮＩＴＳ  ｏｆ  ＭＯＮＴＨ」を格納する（ステップＳ７１）。「日」については、ＲＥＣ  ＤＡＴＥ４１の値から取り出した「ＴＥＮＳ  ｏｆ  ＤＡＹ」と「ＵＮＩＴＳ  ｏｆ  ＤＡＹ」を格納する（ステップＳ７１）。「時」については、ＲＥＣ  ＴＩＭＥ４２の「ＴＥＮＳ  ｏｆ  ＨＯＵＲＳ」と「ＵＮＩＴＳ  ｏｆ  ＨＯＵＲＳ」を格納し、「分」については、ＲＥＣ  ＴＩＭＥ４２の「ＴＥＮＳ  ｏｆ  ＭＩＮＵＴＥＳ」と「ＵＮＩＴＳ  ｏｆ  ＭＩＮＵＴＥＳ」を格納し、「秒」については、ＲＥＣ  ＴＩＭＥ４２の「ＴＥＮＳ  ｏｆ  ＳＥＣＯＮＤＳ」と「ＵＮＩＴＳ  ｏｆ  ＳＥＣＯＮＤＳ」を格納する（ステップＳ７２）。
【００２７】
図８は、ＤＶダビング時の録画日時情報の伝送のタイミングと保存するデータの種類を示す図である。ＤＶテープに記録されているデータ８１は、複数の連続した記録映像音声データ８１ａ，８１ｂ，８１ｃを含んでいる。その連続データの切れ目（境界）では、録画日時が不連続となっている箇所８２，８３，８４が存在する。データ記録再生装置１２に転送された映像と音声のデータ８１は、フォーマット変換されて映像音声データ８７として記録部２７（図２）に記録される。一方、録画日時は、不連続箇所でチャプター通知８５という形で、制御ソフトへ渡され、チャプターデータ８６という形で、チャプター情報の一部として記録部２７の記録媒体２７ａに保存される。
【００２８】
図９は、図８のチャプターデータ８６の構造例である。１タイトルに付けられた全チャプター数（前ＣＨＡＰＴＥＲ数）９１は、不連続箇所を検出するとインクリメントするカウンタである。このカウンタの数だけ、以下のデータ群が存在する。このデータ群は、タイトルの先頭から通し番号であるＣＨＡＰＴＥＲ  ＮＵＭＢＥＲ（チャプター番号）９２と、その不連続箇所となった地点のタイトルの時間情報であるＴＩＭＥ  ＣＯＤＥ９３と、録画日付を示すＲＥＣ  ＤＡＴＥ９４と、録画時刻を示すＲＥＣ  ＴＩＭＥ９５とから構成される。この情報により、不連続箇所の先頭のタイムコードと、不連続箇所の先頭の録画日時（例えば、録画年月日及び時分秒）がわかる。
【００２９】
図１０は、記録したＤＶストリームを再生するときの録画日時の計算方法を説明するための図である。記録部２７に保存されているチャプターデータ８６に含まれるＴＩＭＥ  ＣＯＤＥ９３によって、連続記録映像音声８７Ａ，８７Ｂ，８７Ｃの開始点１０１，１０２，１０３の各々のタイムコードとそのときの録画日時がわかる。任意の地点の録画日時１０４は、連続記録映像音声の先頭１０１のタイムコードの値から現在のタイムコードの値までの差に相当する時間ΔＴを、連続記録映像音声の先頭に記録されている録画日時Ｔ０に足すことによって、求めることができる。このことを数式で表すと、以下のようになる。
（現在の録画日時）
＝ｔ０  ＋  Δｔ
＝（チャプター先頭の録画日時）＋
（現在タイムコード値からチャプター先頭タイムコード値を引いた差に相当する時間）
【００３０】
図１１は、実施の形態１に係るデジタル記録再生装置１２のＤＶストリームの録画日時を画面表示させるための動作を示すフローチャートである。ＤＶコーデック部２１でデコードされたＤＶストリームから取り出されたＰＡＣＫ  ＨＥＡＤＥＲからＶＡＵＸを判別し（ステップＳ１１１）、ＶＡＵＸからＲＥＣ  ＤＡＴＥ４１とＲＥＣ  ＴＩＭＥ４２を判別し、ＢＣＤ形式にして取り出す（ステップＳ１１２）。取り出した録画日時から不連続箇所を検出し（ステップＳ１１３）、不連続箇所を検出するやいなや、直後の録画日時情報を付加して通知する（ステップＳ１１４）。通知された記録部２７は記録媒体に、録画日時情報をチャプターデータとして保存する（ステップＳ１１５）。画面表示を行う場合、表示する録画日時を計算し（ステップＳ１１６）、該当する録画日時を画面表示する（ステップＳ１１７）。
【００３１】
図１２は、ＰＡＣＫ  ＨＥＡＤＥＲからＶＡＵＸに含まれているＲＥＣ  ＤＡＴＥ４１とＲＥＣ  ＴＩＭＥ４２を判別するステップＳ１１２の説明である。ＤＶコーデック部２１でＤＶストリームをデコードすると、図４で示すように、ＰＡＣＫ  ＨＥＡＤＥＲの種々の情報が出力される。このため、所望のデータを取得するためには、ＰＡＣＫ  ＨＥＡＤＥＲの先頭１バイトについている識別アドレスを判断する必要がある。まず、デコードされた領域から先頭１バイトを読み出す（ステップＳ１２１）。次に、その先頭１バイトが“０ｘ６２”であるか否かを判断する（ステップＳ１２２）。“０ｘ６２”であるならば、ＶＡＵＸのＲＥＣ  ＤＡＴＥ４１であるので、続くデータの４バイトを読み出し（ステップＳ１２３）、その後、次のＰＡＣＫ  ＨＥＡＤＥＲを読み出すステップＳ１２１へ戻る。
【００３２】
ステップＳ１２２で、“０ｘ６２”以外ならば、“０ｘ６３”であるか否かを判断する（ステップＳ１２４）。“０ｘ６３”であるならば、ＶＡＵＸのＲＥＣ  ＴＩＭＥ４２であるので、続くデータの４バイトを読み出し（ステップＳ１２５）、その後、次のＰＡＣＫ  ＨＥＡＤＥＲを読み出す処理へ戻る（ステップＳ１２１）。ステップＳ１２２で“０ｘ６３”以外ならば、次のＰＡＣＫ  ＨＥＡＤＥＲを読み出す処理へ戻る（ステップＳ１２１）。
【００３３】
図１３は、実施の形態１に係るデジタル記録再生装置１２がＤＶデコード時に録画日時の不連続点箇所を検出する動作を示すフローチャートである。録画日時は、年、月、日、時、分、秒で構成されている。まず、録画日時は、年、月、日、時、分、秒をすべて秒単位に直す。年の起点は任意であるが一例として、「１９９５年１月１日０時００分００秒」を起点とする。まず、ＲＥＣ  ＤＡＴＥ４１とＲＥＣ  ＴＩＭＥ４２を読み出し（ステップＳ１３１）、起点からの秒数に変換する（ステップＳ１３２）。そして、前回保存した秒数との比較を行い、その差が＋２秒以上又はマイナスであるかを判断する（ステップＳ１３３）。この条件を満たした場合は、録画日時が不連続と判断し、この録画日時をチャプター通知する（ステップＳ１３４）。その後、その秒数を前回保存する秒数として保存し（ステップＳ１３５）、ＲＥＣ  ＤＡＴＥ４１とＲＥＣ  ＴＩＭＥ４２を読み出す処理（ステップＳ１３１）に戻る。ステップＳ１３３で条件を満たさない場合は、その秒数を、前回（ｏｌｄ）保存する秒数として保存する（ステップＳ１３５）。
【００３４】
なお、録画日時を表示する録画日時を計算するステップＳ１１７によって計算された録画日時を、図２のＯＳＤ部２２に表示させ、映像音声の画面上にオーバーレイすることにより実現する。
【００３５】
実施の形態１に係るデジタル記録再生装置１２によれば、入力されたＤＶストリームの不連続点を検出する毎に、ＰＡＣＫ  ＨＥＡＤＥＲから取得された録画日時情報をチャプターデータとして記録媒体２７ａに記録するので、記録媒体２７ａに記録されたデータの再生時に、不連続点の録画日時情報と記録されたデータのタイムコードとから、実際の録画日時を算出することができ、再生時に録画日時を表示させることができる。
【００３６】
また、ユーザが録画日時を映像データと共に残すことを希望する場合であっても、アナログ映像の一部として録画日時を記録する必要がなく、デジタル映像のままダビングを行うことができ、劣化のない高品質な映像を残すことができる。
【００３７】
実施の形態２．
図１４は、本発明の実施の形態２に係るデジタル記録再生装置の動作を示すフローチャートである。図１４において、図１３と同じ処理ステップには同じ符号を付す。図１４に示されるように、実施の形態２に係るデジタル記録再生装置は、ユーザによる録画日時の表示の設定を情報処理部２５が制御し、ＯＳＤ部２２で表示させたり、表示させなかったりすることができる（ステップＳ１１７ａ）。例えば、ＯＳＤ部２２による録画日時の表示を、ユーザによる再生開始などの特定の操作の後の一定時間だけ行い、前記一定時間経過後に録画日時の表示を止める動作モードである。このように、自動的に録画日時の表示を終了させる動作を選択可能とすることによって、ユーザ操作をしなくても、録画日時を非表示にできる。なお、実施の形態２において、上記以外の点は、実施の形態１の場合と同じである。
【００３８】
実施の形態３．
図１５は、本発明の実施の形態３に係るデジタル記録再生装置の動作を示すフローチャートである。図１５において、図１３と同じ処理ステップには同じ符号を付す。図１５に示されるように、実施の形態３に係るデジタル記録再生装置は、ユーザによる録画日時の表示の設定を情報処理部２５が制御し、ＯＳＤ部２２で表示させ、表示する録画日時の計算結果を逐次更新することにより、ＯＳＤ部２２で設定する録画日時の情報も逐次更新させている（ステップＳ１１７ｂ）。例えば、ＯＳＤ部２２による録画日時の表示を、ユーザによる再生開始などの特定の操作の後の一定時間だけ行い、前記一定時間経過後に録画日時の表示を止める動作モードである。このように、自動的に録画日時の表示を更新させる動作をさせることによって、ユーザは、各画面の録画日時を知ることができる。なお、実施の形態２において、上記以外の点は、実施の形態１又は２の場合と同じである。
【００３９】
以上に説明した実施の形態においては、録画日時情報がＲＥＣ  ＤＡＴＥ及びＲＥＣ  ＴＩＭＥを含む場合について説明したが、当該録画日時情報はＲＥＣ  ＤＡＴＥのみを含むようにしてもよいし、ＲＥＣ  ＤＡＴＥ又はＲＥＣ  ＴＩＭＥ以外の情報を含むようにしてもよい。
【図面の簡単な説明】
【００４０】
【図１】本発明の実施の形態１乃至３に係るデジタル記録再生装置を含むＤＶストリームキャプチャーシステムの構成を概略的に示すブロック図である。
【図２】実施の形態１乃至３に係るデジタル記録再生装置の構成を概略的に示すブロック図である。
【図３】実施の形態１乃至３に係るデジタル記録再生装置にて録画日時を表示した画面表示を示す図である。
【図４】実施の形態１乃至３に係るデジタル記録再生装置が扱うＤＶストリーム内のＰＡＣＫ  ＨＥＡＤＥＲテーブルを示した図である。
【図５】実施の形態１乃至３に係るデジタル記録再生装置が取得するＤＶストリーム内のＰＡＣＫ  ＨＥＡＤＥＲにおけるＶＡＵＸのＲＥＣ  ＤＡＴＡのデータ構造を示す図である。
【図６】実施の形態１乃至３に係るデジタル記録再生装置が取得するＤＶストリーム内のＰＡＣＫ  ＨＥＡＤＥＲにおけるＶＡＵＸのＲＥＣ  ＴＩＭＥのデータ構造を示す図である。
【図７】実施の形態１乃至３に係るデジタル記録再生装置が扱うＢＣＤ形式の録画日時の分類の方法を示す図である。
【図８】実施の形態１乃至３に係るデジタル記録再生装置がＤＶダビングを行うときの録画日時の不連続点箇所を通知し、録画日時を保存する方法を示す図である。
【図９】実施の形態１乃至３に係るデジタル記録再生装置がＤＶダビングを行うときの録画日時を保存するときに使用するチャプターデータの構造を示す図である。
【図１０】実施の形態１乃至３に係るデジタル記録再生装置が記録したＤＶストリームの再生時における録画日時の計算方法を示す図である。
【図１１】実施の形態１に係るデジタル記録再生装置の動作を示すフローチャートである。
【図１２】実施の形態１乃至３に係るデジタル記録再生装置がＤＶデコード時にＰＡＣＫ  ＨＥＡＤＥＲからＲＥＣ  ＤＡＴＥとＲＥＣ  ＴＩＭＥのデータを取り出す動作を示すフローチャートである。
【図１３】実施の形態１乃至３に係るデジタル記録再生装置がＤＶデコード時に録画日時の不連続点箇所を検出する動作を示すフローチャートである。
【図１４】実施の形態２に係るデジタル記録再生装置の動作を示すフローチャートである。
【図１５】実施の形態３に係るデジタル記録再生装置の動作を示すフローチャートである。
【符号の説明】
【００４１】
１１  モニタＴＶ、  １２  デジタル記録再生装置、  １３  デジタル映像機器（ＤＶカム）、  １４  ＩＥＥＥ１３９４シリアルバス、  １５  ケーブル、  ２０，２８  インターフェース、  ２１  ＤＶコーデック部、  ２２  ＯＳＤ部、  ２３  表示処理部、  ２４  マイコン、  ２５  情報処理部、  ２６  ＭＰＥＧコーデック部、  ２７  記録部、  ２７ａ  記録媒体、  ３１  モニタＴＶ表示画面、  ４１  ＲＥＣ  ＤＡＴＥ、  ４２  ＲＥＣ  ＴＩＭＥ、  ８１  ＤＶテープの映像音声データ、  ８１ａ，８１ｂ，８１ｃ  連続記録映像音声データ、  ８２，８３，８４  不連続点、  ８６  チャプターデータ、  ８７  デジタル記録再生装置に記録された映像音声データ。
【図１】
2007281641.tif 000003
【図２】
2007281641.tif 000004
【図３】
2007281641.tif 000005
【図４】
2007281641.tif 000006
【図５】
2007281641.tif 000007
【図６】
2007281641.tif 000008
【図７】
2007281641.tif 000009
【図８】
2007281641.tif 000010
【図９】
2007281641.tif 000011
【図１０】
2007281641.tif 000012
【図１１】
2007281641.tif 000013
【図１２】
2007281641.tif 000014
【図１３】
2007281641.tif 000015
【図１４】
2007281641.tif 000016
【図１５】
2007281641.tif 000017